Podtech/llm-jp-corpus-v4-ja_patent huggingface dataset:
(57)【要約】【課題】使い捨てカイロの使用により低温で火傷の心配が無く、安全に顔への遠赤外線による加温ができ、且つ、折りたたむことにより、簡単に携帯して持ち運ぶことができる、折りたたみ式遠赤外線加温器を提供する。【解決手段】使い捨てカイロ収納部分１と、黒鉛珪石微粉末混入の塗料を塗布した加温部分４と、持ち手部分２とから構成される折りたたみ式遠赤外線加温器において、該使い捨てカイロ収納部分はプラスチック状で鏡５を具備し、内部に使い捨てカイロ６を収納して、該加温部分をかぶせ、該持ち手部分を手に持ち、該加温部分を顔に押し当てて使用する。また、該使い捨てカイロ収納部分と該持ち手部分を軸棒３より折りたたんで携帯する、折りたたみ式遠赤外線加温器である。【選択図】図３
0003141288.tif 000002
【実用新案登録請求の範囲】
【請求項１】
鏡を具備した使い捨てカイロ収納部分と、黒鉛珪石微粉末混入の塗料を塗布した加温部分と、持ち手部分とから構成される折りたたみ式遠赤外線加温器において、使い捨てカイロ収納部分は箱状で使い捨てカイロを収納し前記加温部分をかぶせ、前記持ち手部分を手に持ち前記加温部分を顔に当てて使用し、前記使い捨てカイロ収納部分と前記持ち手部分が軸棒よりヒンジ結合し、折りたたむことができることを特徴とする折りたたみ式遠赤外線加温器。
【考案の詳細な説明】
【技術分野】
【０００１】本考案は、折りたたみ式遠赤外線加温器に関するものである。
【背景技術】
【０００２】遠赤外線の効用は以前より様々な分野で認められており、利用は多岐に渡っている。しかし、高い放射率を得るためには、セラミック化や電気を利用しての高温加熱が必要となり、経済的負担が強いられた。【０００３】持ち運び可能で、目的とする対象部位への温熱、微量放射線および遠赤外線の付与が容易であり、かつ、対象部位を温熱するための温熱具の加温も容易かつ良好に行うことができる人体部位温熱器具が紹介されている。
【特許文献１】登録実用３１３６０３８号公報
【考案の開示】
【考案が解決しようとする課題】
【０００４】登録実用文献に記載の人体部位温熱器具は、加温するために多量の電気を必要とし、且つ、人体部位温熱器具自体を持ち運ぶことは容易でないため、人体部位当接面を再び加温する際に、日常生活の中で容易に場所を選ばずに使用することは不可能で、上述の問題点を解決するには至らない。【０００５】そこで本考案は、使い捨てカイロの使用により低温で火傷の心配が無く、場所を選ばず安全に加温でき、且つ、折りたたむことにより、簡単に持ち運ぶことができる、折りたたみ式遠赤外線加温器を提供するものである。
【課題を解決するための手段】
【０００６】本考案は、上述のような問題を解決するため、下記のようになるものである。持ち手部分と、黒鉛珪石微粉末混入の塗料を塗布した加温部分と鏡を具備した使い捨てカイロ収納部分とから構成され、該収納部分はプラスチック状で使い捨てカイロを収納し、加温部分をかぶせて使用することを特徴とする折りたたみ式遠赤外線加温器。【０００７】前記持ち手部分と前記使い捨てカイロ収納部分が軸棒より折りたたむことができることを特徴とする折りたたみ式遠赤外線加温器。
【考案の効果】
【０００８】本考案は、上述のように構成されているので、下記のような効果を期待することができる。すなわち、本考案による折りたたみ式遠赤外線加温器を使用することにより得られる効果は下記の通りである。【０００９】上記の折りたたみ式遠赤外線加温器によれば、黒鉛珪石微粉末混入の塗料を塗布した加温部分に使い捨てカイロを収納し温めるため、低温で火傷の心配が無く、安全に顔への遠赤外線による加温が期待できる。【００１０】上記の折りたたみ式遠赤外線加温器によれば、使い捨てカイロを使用することで、誰でも簡単に安価で購入でき、且つ、電気を使用することもないので故障のリスクを低減し、環境対策にも貢献するものである。【００１１】上記の折りたたみ式遠赤外線加温器によれば、持ち手部分と収納部分が軸棒より折りたたむことができるので、携帯電話のように持ち運びが容易であり、使用する場所を選ばない。
【考案を実施するための最良の形態】
【００１２】以下、この考案の折りたたみ式遠赤外線加温器について図面を参照して実施の形態を説明する。
【実施例】
【００１３】図１は、本考案の折りたたみ式遠赤外線加温器の携帯時の図面であり、鏡５を具備した使い捨てカイロ収納部分１と持ち手部分２を軸棒３よりヒンジ結合し、折りたたむことができる。
使い捨てカイロ収納部分１と持ち手部分２は、軽量で且つ、日常使用する上で落下させても簡単に割れない素材とする。【００１４】図２は、本考案の折りたたみ式遠赤外線加温器の使い捨てカイロ収納部分１に使い捨てカイロ６を収納する方法を示した図であり、黒鉛珪石微粉末混入の塗料を塗布した加温部分４を起こした後、使い捨てカイロ収納部分１に使い捨てカイロ６を収納する。
使い捨てカイロ６は、手で軽く揉むだけで適度な加温を与えるものとする。
黒鉛珪石微粉末混入の塗料を塗布した加温部分４は、上記の使い捨てカイロ６を手で軽く揉むだけで発生する適度な加温を利用して遠赤外線を発生させるため、遠赤外線の中でも４〜１４μｍの波長を放射する事を特徴とする黒鉛珪石微粉末（ＳｉＯ２、Ａｌ２Ｏ３、Ｆｅ２Ｏ３、Ｎａ２Ｏ、Ｋ２Ｏ、ＣａＯ、ＭｇＯ、ＴｉＯ２）を使用することが望ましい。
黒鉛珪石微粉末混入の塗料を塗布した加温部分４に使用する黒鉛珪石微粉末は、２〜２０μｍの大きさとし、加温部分４に使用する塗料と混ぜ合わせ、加温部分４に塗布するものとする。
黒鉛珪石微粉末混入の塗料を塗布した加温部分４は、人の顔に当てる程度の楕円形凹状面とし、その材質は使い捨てカイロの加温を一定時間保持できる素材とする。【００１５】図３は、図２記載の使い捨てカイロ収納部分１に使い捨てカイロ６を収納後、黒鉛珪石微粉末混入の塗料を塗布した加温部分４を使い捨てカイロ収納部分１にかぶせる方法を示した。【００１６】図４は、本考案の折りたたみ式遠赤外線加温器の使用時における図であり、使い捨てカイロ収納部分１と持ち手部分２を軸棒３より開き、当該使い捨てカイロ収納部分１に黒鉛珪石微粉末混入の塗料を塗布した加温部分４をかぶせて持ち手部分２を手に持ち、当該加温部分を顔に押し当てて使用する。
【図面の簡単な説明】
【００１７】
【図１】本考案の携帯時の図である。
【図２】本考案の使い捨てカイロの収納方法を示した図である。
【図３】本考案の展開図である。
【図４】本考案の使用時における図である。
【符号の説明】
【００１８】１    使い捨てカイロ収納部分
２    持ち手部分
３    軸棒
４    加温部分
５    鏡
６    使い捨てカイロ
【図１】
0003141288.tif 000003
【図２】
0003141288.tif 000004
【図３】
0003141288.tif 000005
【図４】
0003141288.tif 000006
(57)【要約】      （修正有）【課題】沖縄県の新たな特産品として人気のある生の海ぶどうの、保存が難しいと言う欠点を解決し、癒し、育成も楽しめ、飾りとしての機能を持たせる。【解決手段】保存が難しい海ぶどう４を、育成状態になるまで充分に養生、殺菌し、殺菌、浄化、活性化処理をした海水３と共に、透過性のガラス瓶又は密封容器１に長期保存育成出来る様にし、癒し、育成出来る事を特徴し、視覚的に楽しめる飾りとした。【選択図】図１
0003141273.tif 000002
【実用新案登録請求の範囲】
【請求項１】
ガラス瓶又は、透明容器の内部に殺菌、浄化、活性化処理した海水と共に、育成可能な海ぶどうと砂等を浮遊可能な状態で、収容した事を特徴とする飾り。
【考案の詳細な説明】
【技術分野】
【０００１】  本考案は、生の海ぶどうを用いた飾りに関するものである。
【背景技術】
【０００２】  海ぶどうは、食用品、美容品としての利用が知られています。
【考案の開示】
【考案が解決しようとする課題】
【０００３】  沖縄県の新たな特産品として人気のある生の海ぶどうは、保存が難しいと言う欠点がある。その欠点を解決し、飾りとしての機能を持たせる。
【課題を解決するための手段】
【０００４】本考案は、生の海ぶどうと、砂等を殺菌、浄化、活性化をし、同じく殺菌、浄化、活性化した海水を透過性のあるガラス瓶や透明容器等に収容することで、生のまま長期保存ができ、問題点を解決している。
【考案の効果】
【０００５】上述の様に、本考案の海ぶどうの飾りは、生の海ぶどうに、長期保存できる環境を持たせ、透過性のガラス瓶又は透明容器に収容することにより、海ぶどうを外部から見る事が出来、飾りとしての機能としてはもちろん、癒し、育成、も楽しめるものとした。
【考案を実施するための最良の形態】
【０００６】海ぶどうの前処理として、海ぶどうを育成可能状態にする為、充分に養生する。【０００７】海水を殺菌、浄化、活性化の処理をする。【０００８】処理海水を用い、海ぶどうと砂等を殺菌、浄化、活性化処理をする。【０００９】海ぶどうが長期保存育成できるように、透過性のガラス瓶又は透明容器内に海ぶどう、処理海水、砂等と一緒に浮遊可能に収容し、密封する。
【図面の簡単な説明】
【００１０】
【図１】本考案の瓶に密封した飾り
【図２】本考案のキーホルダー用の飾り
【符号の説明】
【００１１】１透過性の容器
２蓋
３殺菌、浄化、活性化した処理海水
４海ぶどう
５砂等
６紐
【図１】
0003141273.tif 000003
【図２】
0003141273.tif 000004
(57)【要約】【課題】加齢や精神的なストレスにより性交時に勃起が出来ない不安や、勃起してもその持続が出来ない不安により、満足な性行為が出来難い勃起障害の状態が多かった。本考案はこのような勃起障害の状態を改善する、勃起障害改善補助器具の考案である。【解決手段】勃起障害改善補助器具により、勃起障害の軽度の、たまに勃起出来ない程度や、中程度の、勃起が充分でなく時々性行為が出来ない程度の症状の場合には、あらかじめ、勃起障害改善補助器具を女性の膣部に挿入しておき、女性の膣部を開いておいた勃起障害改善補助器具の中に男性器を挿入する、男性器が不十分な状態でも勃起障害改善補助器具により膣部の抵抗無しに挿入出来る精神的な安心感があり、しかもフリーバーの隙間より膣内部に接触できることにより男性器が刺激を受けられるので男性機能を回復させ、勃起した後にそのまま継続したり、勃起障害改善補助器具のリングを解除することにより、リングとフリーバーを取り外すことが出来る勃起障害改善補助器具の考案である。【選択図】図１
0003141278.tif 000002
【実用新案登録請求の範囲】
【請求項１】
開閉出来るリングとリングに結着して吊り下がったフリーバー数本の先端部を結束包含してなる勃起障害改善補助器具。
【考案の詳細な説明】
【技術分野】
【０００１】本案は、１図に示すごとく、リング部１、リング部より吊り下がったフリーバー２、フリーバーをリング部と結着する留め部３、フリーバー先端部を結束包含するキャップ４、リング開閉部５、リング軸部６、よりなる勃起障害改善補助器具の考案である。
【考案の開示】
【考案が解決しようとする課題】
【０００２】本案は、加齢や精神的なストレスにより性交時に勃起が出来ない不安や、勃起してもその持続が出来ない不安により満足な性行為が出来難い状態を改善する、勃起障害改善補助器具の考案である。
【課題を解決するための手段】
【０００３】本案は、勃起障害改善補助器具により、勃起障害の軽度の、たまに勃起出来ない程度や、中程度の、勃起が充分でなく時々性行為が出来ない程度の症状の場合には、あらかじめ、勃起障害改善補助器具を女性の膣部に挿入しておき、女性の膣部を開いておいた勃起障害改善補助器具の中に男性器を挿入する、男性器が不十分な状態でも勃起障害改善補助器具により膣部の抵抗無しに挿入出来る精神的な安心感があり、しかもフリーバーの隙間より膣内部に接触できることにより男性器が刺激を受けられるので男性機能を回復させ、勃起した後にそのまま継続することが出来、勃起障害改善補助器具のリングを解除することにより、リングとフリーバーを取り外して通常の性行為をすることも出来る勃起障害改善補助器具の考案である。
【考案の効果】
【０００４】本案は、勃起障害改善補助器具の構造が、あらかじめ女性の膣部を開いておくことが出来るため硬度不十分な男性器でも容易に挿入できる精神的な安心感があり、そのため性行為が不安なく行える効果があるのである。日本では現在、４０歳以上の男性の半数以上が、勃起障害の悩みを抱いていると言われているが、若い男性であっても、過度なストレスや不規則な生活が続くと勃起障害のリスクが高まる。勃起力を高める薬が多く出回っているが安全性の不確かなものが多く、また糖尿病や心臓病等の危険な病気が隠されている可能性がある。本考案により、勃起障害を改善することで、仕事や家庭生活での意欲を回復することが出来る等、その益する所甚だ大である。
【図面の簡単な説明】
【０００５】
【図１】勃起障害改善補助器具
【符号の説明】
【０００６】１．    勃起障害改善補助器具リング部１
２．    勃起障害改善補助器具リング部より吊り下がったフリーバー２
３．    勃起障害改善補助器具フリーバーをリング部と結着する留め部３
４．    勃起障害改善補助器具フリーバー先端部を結束包含するキャップ４
５．    勃起障害改善補助器具リング開閉部５
６．    勃起障害改善補助器具リング軸部６
【図１】
0003141278.tif 000003
【手続補正書】
【提出日】平成20年2月5日(2008.2.5)
【手続補正１】
【補正対象書類名】実用新案登録請求の範囲
【補正対象項目名】全文
【補正方法】変更
【補正の内容】
【実用新案登録請求の範囲】
【請求項１】
開閉出来るリングとリングに結着して吊り下がったフリーバー数本の先端部に丸みを成形してなる勃起障害改善補助器具。
【手続補正２】
【補正対象書類名】明細書
【補正対象項目名】０００１
【補正方法】変更
【補正の内容】
【０００１】本案は、１図に示すごとく、リング部１、リング部より吊り下がったフリーバー２、フリーバーをリング部と結着する留め部３、フリーバー先端部の丸みの成形部４、リング開閉部５、リング軸部６、よりなる勃起障害改善補助器具の考案である。
【手続補正３】
【補正対象書類名】明細書
【補正対象項目名】０００６
【補正方法】変更
【補正の内容】
【０００６】１．    勃起障害改善補助器具リング部１
２．    勃起障害改善補助器具リング部より吊り下がったフリーバー２
３．    勃起障害改善補助器具フリーバーをリング部と結着する留め部３
４．    勃起障害改善補助器具フリーバー先端部の丸みの成形部４
５．    勃起障害改善補助器具リング開閉部５
６．    勃起障害改善補助器具リング軸部６
【手続補正４】
【補正対象書類名】図面
【補正対象項目名】図１
【補正方法】変更
【補正の内容】
【図１】
0003141278.tif 000004
(57)【要約】      （修正有）【課題】角スタッドの面に合わせて内装材（コンパネ等）を、容易に取り付けることができる建築用金具を提供する。【解決手段】角スタッドＳにこれを固定するビス穴１と、内装材Ｎを取り付けるためのベロ状部Ａを備えた建築用金具１０により、この課題を解決する。【選択図】図１
0003141280.tif 000002
【実用新案登録請求の範囲】
【請求項１】
角スタッドに内装材（コンパネ等）を平らに取り付けるためのベロ状部分と、角スタッドにこれを固定するためのビス穴とを備えた、建築用金具。
【考案の詳細な説明】
【技術分野】
【０００１】  本考案は、角スタッドに使用する建築用金具に関する。
【背景技術】
【０００２】  従来は、角スタッドの面に合わせて平らに内装材（コンパネ等）を、取り付ける際、あらかじめ他の木材などを内装材の厚みに合わせて角スタッドに固定する必要性があった。（図２）
【考案の開示】
【考案が解決しようとする課題】
【０００３】  従来の方法では、内装材を取り付ける前の下準備に、内装材の厚みに合わせるための調整などで手間と時間がかかり、材料も多く必要となる。
【課題を解決するための手段】
【０００４】  そこで、内装材を固定するための、内装材の厚みに合わせて折り曲げたベロ状部分と、角スタッドにこれを固定するためのビス穴を備えた建築用金具を考案した。（図１）この金具により、容易に角スタッドの面に合わせて、平らに内装材を固定することが可能である。
【考案の効果】
【０００５】  よって、本考案の建築用金具により、内装材を取り付ける前に下準備にかかる時間と手間が大幅に減少する。また、内装材を固定するために必要な材料も減らすことができる。その後の工事も容易である。
【考案を実施するための最良の形態】
【０００６】  本考案に係る建築用金具１０は、図１に示すように角スタッドにこれを固定するためのビス穴１と、内装材を取り付けるためのベロ状部Ａを備えている。このベロ状部Ａは、内装材の厚みに合わせて折り曲げたガイド部２と、内装材をビスで固定するための受け部３で構成されている。ガイド部２の寸法は内装材の厚みに応じて決めればよい。素材は鉄板が望ましく、ビス穴１は皿もみとする。
【図面の簡単な説明】
【０００７】
【図１】  本考案に係る建築用金具を、角スタッドに使用した状態の断面図。
【図２】  本考案に係る建築用金具を、使用しない従来の工法での断面図。
【図３】  本考案に係る建築用金具の使用例。
【図４】  本考案に係る建築用金具の加工図。
【符号の説明】
【０００８】１０  建築用金具
１０ｂ  建築用金具（片側のみのタイプ）
Ａ  ベロ状部
１  ビス穴
２  ガイド部
３  受け部
Ｓ  角スタッド
Ｎ  内装材
Ｐ  内装材を固定するための木材
【図１】
0003141280.tif 000003
【図２】
0003141280.tif 000004
【図３】
0003141280.tif 000005
【図４】
0003141280.tif 000006
(57)【要約】      （修正有）【課題】１１９番あるいは１１０番通報を要する緊急事態にあって、誤入力や誤対応を起こし難い緊急時通信装置を提供する。【解決手段】通信機器の表面に通信機器の電源オンと連結を要する専用回線ボタン３を設置し、対応ボタン押下により、即刻発信者の望む緊急専用回線に通報可能とする。【選択図】図１
0003141828.tif 000002
【実用新案登録請求の範囲】
【請求項１】
ボタンを設け押すと同時に電源オンと救急機関（１１９番）又は警察（１１０）等緊急連絡ヵ所専用回線に連結連動して即刻通報可能な装置付き通信機
【考案の詳細な説明】
【技術の分野】
【０００１】  本考案は通信機器に救急機関（１１９番）・警察（１１０）・緊急連絡ヵ所に即刻通報可能な装置を設けた通信機器に関するものである。
【背景技術】
【０００２】  従来の通信機器は緊急事、寸分の一秒を争う緊急時対応不可能である。
即ち電源をつけ電源のオンを確認し１１９又は１１０緊急連絡ヵ所等の番号、文字を検索その文字をタイプし往信待つ状態で対応その間精神的に不安定に陥りやすく誤入力、誤対応等を起こしてしまいがちである。
【考案の開示】
【考案が解決しょうとする課題】
【０００３】  情報化社会の現在、電子メール、電子商取引グローバル化・・・ＩＴ用語が飛び交う中、地球６２億人の個人がどのようにこの変革の中、翻弄されず関わり、如何あるべきか検証すべき時期ではないか。一見非常に便利且つ夢のような時代に在るかに思えるが緊急時に於ける通信に照準を当ててみても機器が個人に暖かい思いやりを持って考案されているとは思えないのではないか。
そこで本考案は寸分の一秒を緊急時人々の命、危機から即ち電源オンを確認し１１９又は１１０等の緊急連絡ヵ所の文字を検索１１９又は１１０等の緊急連絡ヵ所の文字をタイプし往信待つ状態で対応。その間緊急事には電源オンを確認し１１９又は１１０緊急連絡ヵ所の数字を精神的に検索不可能な状態に成り易く誤入力誤対応等を起こしやすい。
前述の欠陥を解決し対応簡略化を図りボタンを押すと同時電源オンと緊急専用回線に連結し即刻通報可能な通信機にしょうとするものである。
【課題を解決する為の手段】
【０００４】  本考案は通信機器の表面に対応ボタンを設け押すと同時に前述の手順を除き即刻救急機関電源オンと（１１９番）又は電源オンと警察（１１０）電源オンと緊急連絡ヵ所即ち発信者の臨む緊急連絡箇所にボタンをローリング押すと同時に作動即刻通報可能にして従来の問題点を解決しょうとするものである。
【考案の効果】
【０００５】  即ち電源オンを確認し１１９又は１１０緊急連絡ヵ所の文字を検索１１９又は１１０緊急連絡ヵ所の文字をタイプし往信待つ状態で対応。緊急事態には電源オンを確認し緊急連絡箇所の文字検索し入力その間精神的に不可能な状態に成り易く誤入力誤対応等を起こしやすい。
前述の欠陥を通信機器の表面に対応ボタンを設け押すと同時に前述の手順を除き即刻救急機関（１１９番）警察（１１０）緊急連絡ヵ所に通報可能しょうとするものである。
【考案を実施するための最良の形態】
【０００６】  即ち電源オンを確認し１１９又は１１０緊急連絡ヵ所の文字を検索１１９又は１１０緊急連絡ヵ所の文字をタイプし往信待つ状態で対応その手順を除き通信機器の表面に対応ボタンを設け押すと同時に発信者の臨む緊急連絡ヵ所に即刻通報可能にする。
【実施例】
【０００７】  通信機器の表面に対応ボタンを設け対応ボタンをローリング押すと同時に電源オン発信者の臨む緊急連絡ヵ所専用回線に連結し即刻通報可能にするものである。
【図面の簡単な説明】
【０００８】
【図１】通信機器の正面にローリングボタンを設置した１事例
【図２】通信機器の側面にボタンを設置した１事例
【図３】通信機器の背面にボタンを設置した１事例
【図４】通信機器のオープン状態に於けるボタンの設置した１事例
【符号の説明】
【０００９】    １（ローリングで１１０番と電源作動）警察通報ボタンを設置した１事例
２（ローリングで１１９番と電源作動）救急機関通報ボタン設置した１事例
３（警察と救急車）即刻通報可能ボタンを隣接して設置し色分けで対応する１事例
【図１】
0003141828.tif 000003
【図２】
0003141828.tif 000004
【図３】
0003141828.tif 000005
【図４】
0003141828.tif 000006
(57)【要約】      （修正有）【課題】シェードの内側に描いた陰影用図画を、非点灯時には見えにくく、点灯時に照明を通してシェード面に陰影を映し出すことを目的とした照明装置を提供する。【解決手段】シェード１の内側に陰影用図画３が描かれたシート２が重なって、照明５を点灯させるとシート２に描かれた陰影用図画３が、シェード１に陰影を生じさせることを特徴とする照明装置。【選択図】図１
0003141830.tif 000002
【実用新案登録請求の範囲】
【請求項１】
シェード（１）の内側に陰影用図画（３）が描かれたシート（２）が重ねてあることを特徴とする、陰影を発現させる照明装置
【請求項２】
上記シート（２）が紙、フイルムまたは両者の複合体であることを特徴とする、請求項１記載の陰影を発現させる照明装置
【請求項３】
上記シート（２）のかわりに、金属箔、紙又は、フイルムのいずれかを切り抜いて得た図画（３１）をシェード（１）の内側に重ねたことを特徴とする、請求項１記載の陰影を発現させる照明装置
【請求項４】
シェード（１）がプラスチックフイルムと紙を貼り合わせた複合体から成る事を特徴とする請求項１〜３のいずれかに記載の陰影を発現させる照明装置
【考案の詳細な説明】
【技術分野】
【０００１】本考案は、照明装置の照明を点灯させることにより、シェードに陰影を発現させることのできる照明装置に関する。
【背景技術】
【０００２】従来の照明装置においては、シェードに各種の図画等を施し、照明をあてる事により、その図画を鑑賞するものであり、これら図画は直接シェードに描かれたものである。
【考案の開示】
【考案が解決しようとする課題】
【０００３】本考案は照明５が点灯していない状態の時に見えにくく、点灯時に陰影６が発現するシェード１を提供するものである。
【課題を解決するための手段】
【０００４】請求項１記載の陰影を発現させる照明装置（以下本考案１という）は、シェード１の内側に陰影用図画３が描かれたシート２が重ねてあることを特徴とする。【０００５】請求項２記載の陰影を発現させる照明装置（以下本考案２という）は、上記シート２が紙、フイルムまたは両者の複合体であることを特徴とする。【０００６】請求項３記載の陰影を発現させる照明装置（以下本考案３という）は、上記シート２のかわりに、金属箔、紙又は、フイルムのいずれかを切り抜いて得た図画３１をシェード１の内側に重ねたことを特徴とする。【０００７】請求項４記載の陰影を発現させる照明装置（以下本考案４という）は、シェード１がプラスチックフイルムと紙を貼り合わせた複合体から成る事を特徴とする。【０００８】本考案１及び２で用いる陰影図画が描かれたシート２を用意するには、シート２に水性又は油性のインク、塗料、絵の具等で、陰影をあらわしたい図画を描けばよく、特に照明を点灯した時に幻妙な陰影を生じさせるには、金属粉が含有された、インク又は塗料で描くことが好ましく、中でもアルミ粉を含むインクが好ましい。【０００９】本考案１及び２でもちいるシート２として、たとえば紙（和紙、洋紙）、フイルム、セロハン又は、紙とフイルムの複合体が挙げられ、中でも紙とフイルムの複合体が望ましい。【００１０】本考案３でもちいる、切り抜いて得た図画３１は、そのままシェード１の内側に貼り付けてもよいが、紙やフイルムに貼り付けて、シェード１の内側に配してもよい。又、図画を中抜きにした紙やフイルム又は金属箔でもよい。【００１１】本考案３の切り抜いた図画３１を得る素材としては、金属箔又は、紙やフイルムに金属を蒸着したものであってもよい。【００１２】本考案４で用いるシェード１は、プラスチックフイルムと紙を貼り合わせた複合体であり、ここで用いる紙は和紙又は洋紙のいずれかでもよいが、文字又は絵４が描きやすい素材が好ましい。【００１３】本考案において陰影用図画３を描く方法としては、手書きでも印刷してもよい。このときの印刷方法としては、シルク印刷、オフセット印刷、ホットスタンプ、タンポ印刷、カラーコピー等があげられる。
【考案の効果】
【００１４】本考案１は、照明５を点灯させるとシート２に描かれた陰影用図画３が、シェード１に陰影を生じさせ、幻妙な且つ不思議な癒し性を生みだす鑑賞性のある照明装置となる。【００１５】本考案２は、上記シート２が紙、フイルム又は両者の複合体であり、剛性があってどんな形状でも内側に沿わすことが可能である。たとえば円筒の形状であっても沿い重ねることができる。【００１６】本考案３は、切り抜いて得た図画３１を用いており、本考案１と同じような効果が得られる。【００１７】本考案４は、シェード１がプラスチックフイルムと紙を貼り合わせた複合体であるので、紙に文字又は絵４を描きやすく、この文字又は絵４と上記陰影用図画３とが、照明５を点灯した時に両方がシェード１に映し出される。
【考案を実施するための最良の形態】
【実施例】
【００１８】図１に本考案実施例を示す。
シェード１としては厚み０．２ｍｍの透明プラスチックフイルムと紙を貼り合わせ複合体となし、紙側を内側として円筒状にし、この紙に「送り火」の文字と山の絵を描いた。
次にシート２にはシェード１と同じ複合体を用い、紙側に「大」の文字を銀ペースト入りのアクリルペイントで描いて陰影用図画３とし、これを円筒状にしてシェード１の内側に沿い重ね、こうして得たシェード１を、照明５を有する台にはめ込んで照明装置とした。【００１９】得られた照明装置を図２で示す。
この照明装置の照明５を点灯させると、消灯時に見えなかった「大」の文字が陰影６として、シェード１の外側に映し出され、不思議な癒しの空間演出に役立つとともに、シェード１の外側に描かれた文字又は絵４と合わせることで一段と不思議な陰影６の演出をすることができる。
【図面の簡単な説明】
【図１】  本考案の一例を示す説明図
【図２】  本考案を実際に用いた状況を示す説明図
【符号の説明】
【００２０】  １        シェード
２        シート
３        陰影用図画
４        文字又は絵
５        照明
６        陰影
３１      切り抜いて得た図画
【図１】
0003141830.tif 000003
【図２】
0003141830.tif 000004
(57)【要約】【課題】  燭台に取付けられたローソクは、蝋が燃えることで徐々に高さが低くなるが、初期の内は高さが高く、視覚上燭台とのバランスが良くなく、重心が高いために起きうる転倒の危険性を解消すること。また、電子ローソクに於いても、取り付ける燭台との高さのバランス良くする方法を提供すること。【解決の手段】  当該燭台上部にあるローソクを支える取り付け部を、燭台内部において上下に任意の位置に変更可能にすることで、燭台からのローソクが突き出る高さを変えられるようにした。【選択図】図２
0003141823.tif 000002
【実用新案登録請求の範囲】
【請求項１】
ローソクを点すための燭台に於いて、当該燭台上部にあるローソクを支える取り付け部を、燭台内部で上下に位置を変更可能にすることで、燭台からのローソク突き出し量を任意に変えられることを特徴とした燭台。
【考案の詳細な説明】
【技術分野】
【０００１】  通常のローソクや電子ローソクを支えるための取り付け部を上部に備えた燭台。
【背景技術】
【０００２】  通常、燭台は上部に火皿と、ローソク下部を支えるために取り付けである針、或は穴で構成され、ローソクが倒れないように支えている。
【考案の開示】
【考案が解決しようする課題】
【０００３】  燭台に取付けられたローソクは、蝋が燃えることで徐々に高さが低くなるが、初期の内は高さが高く、視覚上燭台とのバランスが良くなく、重心が高いために起きうる転倒の危険性を解消すること。また、電子ローソクに於いても、取り付ける燭台との高さのバランス良くする方法を提供すること。
【課題を解決するための手段】
【０００４】  当該燭台上部にあるローソクを支える取り付け部を、燭台内部に軽嵌合し、上下に任意の位置に変更可能にすることで、燭台からのローソクが突き出る量を変え、高さを任意に調整できるようにした。
【考案の効果】
【０００５】  燭台から出ているローソクの高さを自在に変更できることにより、炎の位置を好みの位置に変えられると共に、燭台とのバランスや見栄えを良くすることや、重心を安全な位置に調整できるようにすることで、転倒防止の効果を創出した。
【考案を実施するための最良の形態】
【０００６】  燭台内部にローソクの直径に合せたシリンダー状の案内筒を設け、ローソク取り付け部をピストン状にして当該案内筒に軽嵌合させることで、取り付け部に差されたローソクの突き出し量を変更できるようにする。また、位置の変更は、ローソク本体を手で直接押し込むことで低くなり、取り付け部の下部を案内筒下部に設けられた調整口から指などで押し、突き出し量を調整することにより、ローソク位置を高くすることができる。
【実施例】
【０００７】  以下、本考案の実施例を、図１を参照して説明する。図１は燭台本体１の内部に設けられた案内筒２に取り付け部３が軽嵌合された状態を示している。ローソク５を低くする場合は、直接ローソク５を下に押せば、取り付け部３は押されて位置を変える。高くする場合は、調整口４から、指やペンなどで取り付け部３の下部を押せば、突き出し量を増やすことができる。図２は、ローソク突出し量の変化を示し、全体の高さの比較を示している。
【図面の簡単な説明】
【０００８】
【図１】台の断面図である
【図２】ローソク突出量の変化を比較した側面図である。
【符号の説明】
【０００９】１  燭台本体２  案内筒３  取り付け部４  調整口５  ローソク
【図１】
0003141823.tif 000003
【図２】
0003141823.tif 000004
(57)【要約】      （修正有）【課題】緊急専用回線に直ちに通報対応可能と同時に発信者による正確なる位置特定を可能にする通信機を提供する。【解決手段】通信機器の表面に対応ボタン即ち電源オン・一定形態赤外線を発し緊急専用回線に連結するボタンを設けボタンをローリングと同時に電源オンと救急機関（１１９番）又は警察（１１０番）等に即刻通報可能にすると同時にＧＰＳ等や一定形態赤外線により発信者の正確なる位置を特定可能にする。【選択図】図１
0003141829.tif 000002
【実用新案登録請求の範囲】
【請求項１】
ボタンを設け押すと同時に電源オンと救急機関（１１９番）又は警察（１１０）等緊急連絡ヵ所専用回線に連結連動して即刻通報し赤外線による位置特定通報可能な装置付き通信機
【考案の詳細な説明】
【技術の分野】
【０００１】  本考案は緊急専用回線を有し、ボタンローリングだけで電源と合体作動と同時に一定形態赤外線を発生し、発信者から緊急時に緊急専用回線に即効通報可能と同時に位置特定通報可能にしたものである。
【背景技術】
【０００２】  現在の通信機器は緊急事態時又は大惨事に於ける発信者からの正確なる位置特定、寸分の一秒を争う緊急時即刻通報対応不可能である。
即ち電源をつけ又は電源のオンを確認１１９又は１１０の文字を検索しその文字をタイプし往信その間精神不安定に陥りやすく誤入力後対応の頻度が高く尚、待つ本人の位置特定は本人の応答又はＧＰＳ等による物で早急且つ正確な位置特定は不可能状態である。
【考案の開示】
【考案が解決しようとする課題】
【０００３】  本考案は寸分の一秒の緊急時人々の命、危機に於ける発信者からの通報即ち電源オンを確認し１１９又は１１０の文字を検索１１９又は１１０の文字をタイプし往信待つ状態で対応。その間緊急事態には電源オンを確認し１１９又は１１０の数字を精神的に検索不可能な状態に陥り誤入力誤対応等を起こしやすいうえ本人の位置特定は本人の応答又はＧＰＳ等によるもので早急なる正確なる位置特定は大惨事おける場合不可能であると言っても過言でない。前述の欠陥を解決しようとするものである。
【課題を解決するための手段】
【０００４】    本考案は緊急専用回線を有し、ボタンローリングだけで電源と合体作動と同時に一定形態赤外線を発生し、発信者から緊急時に緊急専用回線に即刻通報可能と同時に正確なる位置特定通報可能にしたもので問題を解決している。
【考案の効果】
【０００５】  上述のように寸分の一秒の緊急時人々の命、危機に於ける発信者からの通報即ち電源オンを確認し１１９又は１１０の文字を検索１１９又は１１０の文字をタイプし往信待つ状態で対応。その間緊急事態には電源オンを確認し１１９又は１１０の数字を精神的に検索不可能な状態に成り易く誤入力誤対応等を起こしやすいうえ本人の位置特定は本人の応答又はＧＰＳ等によるもので早急なる正確なる位置特定は大惨事おける場合不可能であると言っても過言でない。前述の欠陥を是正する緊急専用回線を有し、ボタンローリングだけで電源と合体作動と同時に一定形態赤外線を発生し、発信者から緊急時に緊急専用回線に即刻通報可能と同時に正確なる位置特定通報可能にしたものである。
【考案を実施するための最良の形態】
【０００６】  緊急専用回線を有し、ボタンローリングだけで電源と合体作動と同時に一定形態赤外線を発生し、発信者から緊急時緊急専用回線に即刻通報可能と同時に正確なる位置特定通報可能にしたものである。
【実施例】
【０００７】  通信機器の表面に対応ボタンを設け対応ボタンを押すと同時に一定形態赤外線・電源オンと救急機関（１１９番）又は警察（１１０番）等専用回線連結し即刻通報可能にすると同時に発信者の正確なる位置特定通報可能にするものである。
【図面の簡単な説明】
【０００８】
【図１】通信機器の正面にローリングボタンを設置した１事例
【図２】通信機器の側面にボタンを設置した１事例
【図３】通信機器の背面にボタンを設置した１事例
【図４】通信機器のオープン状態に於けるボタンの設置した１事例
【符号の説明】
【０００９】  １  一定形態赤外線・電源オンと１１０番回線に連結する通報ボタン設置した１事例
２  一定形態赤外線・電源オンと１１９番回線に連結する通報ボタン設置した１事例
３  一定形態赤外線・電源オンと１１０番回線に連結する通報ボタンと一定形態赤外線・電源オンと１１９番回線に連結する通報ボタン枠を隣り合わせに設置し色分けで対応する１事例
【図１】
0003141829.tif 000003
【図２】
0003141829.tif 000004
【図３】
0003141829.tif 000005
【図４】
0003141829.tif 000006
(57)【要約】【課題】本考案は、サッシレール、網戸レール、引き戸に設けられた塵出し用切欠き部から、虫、埃類の進入を防止する。【解決手段】本考案は、レールの切欠き部を、その延長上にあるレールを挟む方式で支点とした、着脱可能な封じ板で覆うことで、その目的を達成する。【選択図】図１
0003141821.tif 000002
【実用新案登録請求の範囲】
【請求項１】
サッシレールにある塵掃き出し用切欠き部において、このレールの延長部分を支点とし、着脱可能な形状を有した、虫の侵入を防ぐことを特徴とする封じ板。
【考案の詳細な説明】
【技術分野】
【０００１】本考案は、サッシ、網戸、引き戸の切欠き部を封止する板状物に関するものである。
【背景技術】
【０００２】従来のサッシ類のレールの切欠き部は、レール間の塵等を掃き出す程度の機能であり、虫、埃の進入には無防備であった。
【考案の開示】
【考案が解決しようとする課題】
【０００３】レールを切欠くことで生じた戸との隙間から、埃、虫の進入は容易で、カメムシ、天道虫の進入は不快であった。
【課題を解決するための手段】
【０００４】本考案の封止板は、サッシレールを支点とし、隣接する切欠き部分を覆う構造をもつ。
【考案の効果】
【０００５】上述のように、本考案は、虫等の進入を防ぐとともに、断熱効果もある。掃除などの際は、戸をずらし、この封止板を外して行えるので、切欠き部の目的を阻害しない。
【考案を実施するための最良の形態】
【０００６】封止板は、レールを挟むことで位置を固定する構造で、このレールを支点とし、切欠き部分を物理的に覆う。
【実施例】
【０００７】以下、添付図面に従って一実施例を説明する。１は、耐久性のプラスチックス等適宜素材にて形成された、レール取付型虫等進入防止板で、２のレールに凹部を嵌め込む。戸を閉めた位置においても、戸車は封止板の位置までは至らず、戸溝は封止板には当らない。
【図面の簡単な説明】
【０００８】
【図１】本考案の封じ板の例を示す図。
【図２】本考案の封じ板をレールに取付けた図。
【符号の説明】
【０００９】１  封止板
２  レール
３  戸
４  ガラス
５  サッシ枠
【図１】
0003141821.tif 000003
【図２】
0003141821.tif 000004
(57)【要約】【課題】本考案は、机、卓等の脚間、台上に雑誌、茶碗等を安全に置くことができる収納具を設け、紛失を防止する。【解決手段】本考案は、様々な形状の、机、卓等の脚間に、収納具を取付けるための補助具を、脚に取付ける。この補助具に、収納具を取付ける。又、ネジ、ばね等で、台を挟む構造の補助具で、台に固定し、台上、脚間に配置される収納具を取付ける。。【選択図】図１
0003141822.tif 000002
【実用新案登録請求の範囲】
【請求項１】
食卓、会議机等の脚、台に固定し、その脚、脚間、台上に、収納部を設ける構造を有する収納具。
【考案の詳細な説明】
【技術分野】
【０００１】本考案は、食卓及び会議机などの脚、台に取付ける収納具に関するものである。
【背景技術】
【０００２】食卓及び会議机などに付属する収納具は、台の下に設けられている。
【考案の開示】
【考案が解決しようとする課題】
【０００３】会議机を使用、着席中、収納部分は見えないため、椅子を引き姿勢を崩すなど、新たな動作が必要であった。食卓においては、関連する物品は、他の棚、台に置いていた。
【課題を解決するための手段】
【０００４】本考案は、食卓、机の脚、台に、補助具を設けて、脚間、台上に収納部分を設ける。
【考案の効果】
【０００５】本考案は、目の届く範囲に物を置けるため、必要な時に物が扱えるとともに、食卓、机の補強にもなる。
【考案を実施するための最良の形態】
【０００６】形状が一定の収納具と、様々な形状を有する脚、台を、連結する補助具により構成される。
【実施例】
【０００７】以下、添付図面に従って一実施例を説明する。図は、食卓、会議机全体を表す。これらにおいて、２の様々な形状の脚を、４の連結具、５の収納具に適合させる３の補助具で構成される。収納具は、新聞雑誌などを置く、手提げ袋などを掛けるなど、様々な形状が用意される。
【図面の簡単な説明】
【０００８】
【図１】本考案の収納具を取付けた例を示す図。
【符号の説明】
【０００９】１  台
２  脚
３  補助具
４  連結具
５  収納具
【図１】
0003141822.tif 000003
(57)【要約】      （修正有）【課題】複数個の光分波器の実装面積を低減して装置全体を小型化した、複数の波長のレーザ光を光ファイバに伝送させる光波長多重伝送用の光分波器を提供する。【解決手段】屈折率の大きいコア層１を屈折率の小さいクラッド層ではさんだ構造の平面光伝送路を複数層積層し、周囲の壁面に球面反射鏡３と回折格子４を形成し、入射面５にはリボンファイバ９を一括接続し、出射面６にはリボンファイバを複数本格子状に束ねたリボンファイバアレイ８を一括接続した。【選択図】図３
0003141827.tif 000002
【実用新案登録請求の範囲】
【請求項１】
屈折率の大きいコア層を屈折率の小さいクラッド層ではさんだ構造の平面光伝送路を複数層積層し、周囲の壁面に球面反射鏡と回折格子を形成し、入射面には光ファイバを一次元配列したリボンファイバを一括接続し、出射面にはリボンファイバを複数本格子状に並べたリボンファイバアレイを一括接続した光学素子。
【考案の詳細な説明】
【技術分野】
【０００１】  本考案は、複数の波長のレーザ光を光ファイバに伝送させる光波長多重伝送用の光分波器に関するものである。
【背景技術】
【０００２】  光通信に使用する光ファイバは複数本をまとめて光ケーブルの形で敷設される。初期には十数本であったが、最近は数十本から数百本の光ファイバが一本の光ケーブルに内臓されている。光ファイバを光波長多重化する場合は、光ケーブル単位で実施する都合上、光ファイバの本数と同じ数の光分波器が必要である。例えば、６４本の光ファイバで光波長多重通信を行うには６４個の光分波器が必要であり、光分波器とその付属品に１０ｃｍ角の実装スペースが必要とすると、全部で６４００ｃｍ２の面積になる。また、光分波器を複数個組み合わせた光分岐路でも小型化が必要である。
【考案の開示】
【考案が解決しようとする課題】
【０００３】  複数個の光分波器の実装面積を低減して装置全体を小型化する事を目的としている。
【課題を解決するための手段】
【０００４】  屈折率の大きいコア層を屈折率の小さいクラッド層ではさんだ構造の平面光伝送路を複数層積層し、周囲の壁面に球面反射鏡と回折格子を形成し、入射面には光ファイバを一次元配列したリボンファイバを一括接続し、出射面にはリボンファイバを複数本格子状に束ねたリボンファイバアレイを一括接続した。
【考案の効果】
【０００５】  例えば、層数を８枚とすると、実装面積は積層した数に反比例して８分の１の８００ｃｍ２に低減できる。反射鏡球面や回折格子面や入射面や出射面の光学研磨を一度にできるし、回折格子も小片で全部の層が間に合うから、１層あたりの光分波器の製造費用が個別に製造した場合の半分以下になる。光分岐路は３層構造の多層光分波器１個で簡単に作れる。
【考案を実施するための最良の形態】
【０００７】  図１は屈折率の大きいコア層を屈折率の小さいクラッド層ではさんだ構造の平面光伝送路を３層積層し、周囲の壁面に球面反射鏡と回折格子を形成した状態の斜視図である。コア層の厚さは５０ミクロンで、間隔は１２５ミクロンである。大きさは数ｃｍ角で、全体の厚さは３７５ミクロンで非常に薄いが、見やすくするため厚さ方向を拡大して描いている。球面反射鏡は壁面を円筒状に光学研磨してから金属を真空蒸着して形成する。回折格子は小片を格子が厚さ方向になるように貼り付けてある。壁面にはさらに入射面と出射面とがある。【０００８】  図２は３本の外形１２５ミクロンの光ファイバを一次元配列したリボンファイバを４組格子状に並べたリボンファイバアレイの斜視図である。【０００９】  図３は多層光分波器の平面図である。入射面には光ファイバを一次元配列したリボンファイバを一括接続し、出射面にはリボンファイバアレイを一括接続した。リボンファイバから各コア層に入射したレーザ光は、球面反射鏡により並行光線となって回折格子に入射し、回折格子で回折されて、球面反射鏡によりリボンファイバアレイに各々集光分波される。厚さ方向はコア層に閉じ込められて伝送されていくので、各層のレーザ光が混ざる事はない。
【図面の簡単な説明】
【００１１】
【図１】  ３層構造の平面光伝送路の斜視図である。
【図２】  リボンファイバアレイの斜視図である。
【図３】  多層光分波器の平面図である。
【符号の説明】
【００１２】１    コア層
２    クラッド層
３    球面反射鏡
４    回折格子
５    入射面
６    出射面
７    リボンファイバ
８    リボンファイバアレイ
９    入射面に接続するリボンファイバ
１０  レーザ光
【図１】
0003141827.tif 000003
【図２】
0003141827.tif 000004
【図３】
0003141827.tif 000005
(57)【要約】      （修正有）就寝時に枕、布団などから口、目、鼻腔、耳孔を襲うダニの被害を防止するシートを提供する。【構成】合成樹脂で製造される気密性、弾力性を備えた複数の突起３（気泡、波形）付きシート２であり、このシートで覆われた枕１からはダニは人体に侵入できない。このシートには、枕や布団に装着するための連結機能４（粘着テープ、紐等）が付いている。複数の突起間の間隙（溝）が空気の通路となり、使用時にシートに顔を密着させても楽に呼吸できる。【選択図】図１
0003141825.tif 000002
【実用新案登録請求の範囲】
【請求項１】
弾力性のある突起を複数備えた気密性のあるシートに、枕、布団、などに装着する連結機能を備えてなる就寝時のダニ被害防止シート。
【考案の詳細な説明】
【考案の詳細な説明】
【産業上の利用分野】
【０００１】就寝時に人体の頭、口、目、鼻腔、耳孔を襲うダニによる被害を防止する用具として利用される。
【背景技術】
【０００２】ダニの発生、身体への侵入を防ぐための薬剤処理した抗ダニ枕、布団と、ダニを誘引し捕獲袋に閉じこめる捕獲タイプの用具がある。しかし、これらは外部から直接的に口、目、鼻腔、耳孔、頭皮などを襲うダニの害を遮る機能は無い。
【考案が解決しようとする課題】
【０００３】ダニが人体の口、目。鼻、耳、皮膚にもたらす不衛生な状態を防ぐシートであり、ダニ駆除剤による薬害が無く、かつ口、鼻が接触しても、呼吸困難をもたらすことのない形状を備える、安価で使いやすいダニ被害防止シートの提供である。
【課題を解決するための手段】
【０００４】枕や布団から、口や鼻や目、耳、頭皮部分をダニが侵害出来ないようにするため、合成樹脂で製造される気密性のある突起付きシートを使用する。突起には弾力性のある気泡又は波形をつけたシートを使用する。この突起（気泡、波形）を備えた気密性のある合成樹脂のシートは通気性がないので、弾力性のある突起（気泡、波形）を備えた合成樹脂のシートで覆われた部分からは、ダニは侵入できない。通常、通気性のないシートに、顔を押しつけると呼吸が出来なくなるおそれがあるが、この気密性のある合成樹脂のシートには、弾力性のある突起（気泡）が約２ミリ間隔で形成されるので、突起（気泡）と突起（気泡）の間が溝となり、これが空気の通路となる。したがって、この面に口、鼻腔に接触しても呼吸が容易にできる。また、この突起（気泡）は使用時の顔面に対する衝撃を和らげるクッションになる。別案の波形の突起付きシートも同様の機能を持つ」。
この弾力性のある突起（気泡、波形）を備えた合成樹脂製のシートには、枕や布団に装着するための連結機能（粘着テープ、紐など）がつけられる。
【実施例】
【０００５】本案を図によって説明する。
図１は、枕にダニ被害防止シートを装着した状態を示す。１は枕、２はダニ被害防止シート、３は突起（気泡）、４はシートの連結機能である。
図２は突起（気泡）を備えたダニ被害防止シートの断面を示す。３は突起（気泡）を示す。突起（気泡）３は、弾力性があるので顔面への衝撃を和らげるクッションとなる。５は突起（気泡）と突起（気泡）間の溝で通気溝である。呼吸を楽にする役割を果たす。
図３は、複数の突起（気泡）４で形成されるシート面を上部から見た状態を示す。
別案の実施態様として、シートを波形に形成し、顔面に対するクッションと、呼吸器に対する通気性をもたせたダニ被害防止シートがある。
【考案の効果】
【０００６】気密性のある突起（気泡、波形）付きシートには、枕、布団などから口、鼻、耳、頭皮等を襲うダニを遮る機能があり、ダニによる不健康な状態を生じさせない。
突起によって通気溝が形成されるので使用時に呼吸困難は生じない。
ダニの駆除薬などの薬剤を使用せず製品化するので薬害が発生しない。装着が簡単であり、安価に製品化できる。
【図面の簡単な説明】
【図１】ダニ防止シートを枕に装着した状態図
【図２】突起（気泡）を備えたダニ防止シートの断面図
【図３】突起（気泡）を備えたダニ被害防防止シートを上部から見た平面図
【符号の説明】
１    枕
２    ダニ被害防止シート
３    突起（気泡）
４    連結機能
５    通気溝。突起（気泡）と突起（気泡）の間隙
【図１】
0003141825.tif 000003
【図２】
0003141825.tif 000004
【図３】
0003141825.tif 000005
(57)【要約】      （修正有）【課題】本考案は、現在普及している暖房機器の設置スペース負担を、室内建具とガラスヒーターとを組合せることで解決させる。【解決手段】本考案は、室内にスペースを取り設置されている暖房機器を設置せずに、ガラスヒーター１を組込んだ室内建具、その建具が面する２室をも同時に、温度調整器７でコントロールされたガラスヒーター１で暖房することにより、暖房機器設置スペース負担を解決する。【選択図】図１
0003141824.tif 000002
【実用新案登録請求の範囲】
【請求項１】
室内用建具の框内部に電気ガラスヒーターを設け、当該建具框から建具枠へと通電線を配線するとともに、建具枠外に温度調整器を設け、当該建具にて室内に暖房機を置かずに、面する２室を暖房できるところを特徴とする暖房機付建具である。
【考案の詳細な説明】
【技術分野】
【０００１】  本考案は、室内建具本体に電気ガラスヒーターを設けた、暖房機付建具に関するものである。
【背景技術】
【０００２】  事務所・住宅などの暖房機が室内に箱型として取付けられている現状がある。現にガラスヒーターがすでに考案されているが、商品開発利用がされていない。
【考案の開示】
【考案が解決しようとする課題】
【０００３】  本考案は、限られている室内空間に、暖房機器が取付けられるスペースの確保に負担が生じる、従って、必ず必要な出入口部の建具を利用して暖房機器設置の欠点を解決しようとするものである。
【課題を解決するための手段】
【０００４】  本考案は、室内に設置される暖房機器のスペースをなくし、室内建具にガラスヒーターを組込んだことで室内建具に面する２室をも同時にガラスヒーターで暖房させることの出来る点で問題点を解決している。
【考案の効果】
【０００５】  本考案は、廊下から室内、室内から室内へとの連絡部分にある室内建具が暖房機であるため廊下・各室に専用の暖房機器を設置することの必要性がなくなります。
【考案の実施するための最良の形態】
【０００６】  本体片開き建具の場合、框とガラスヒーターとは、熱膨張の極めて少ないビートを使用してセットされ、框内部を配線される。建具と枠とは、建具本体の丁番附近より配線を引出して枠へと連絡する。引き戸建具の場合、框とガラスヒーターの関係は同じですが、障子と枠との配線には鴨居部分に配線用レールが使用されます。又、枠より外では、温度調整器へと配線が続きヒーター温度をコントロールいたします。
【実施例】
【０００７】  以上、添付図面に従って実施例を説明する。図１と図２は建具と枠の本体である、▲１▼はガラスヒーター本体、このガラス部分を発熱させるのである、▲２▼はガラスを建具框に固定する耐熱ビートである、これで框への熱伝導を少なくする、▲３▼は建具の框である、ガラスを固定して建具本体となる、図１は片開きドアで図２は引戸である、▲４▼は建具枠であり建具を壁に固定する受けである、▲５▼は枠と建具を固定する丁番である、▲６▼はヒーターへの通電線である、ヒーターから建具框を通り枠へと▲６▼′通過して壁内に配線する、▲７▼はヒーターの温度調整器である、このコントローラーでヒーター温度を管理することで低温から高温（６０℃）を調整し室温を安定させる。
【図面の簡単な説明】
【０００８】
【図１】本考案の暖房機付室内建具の一実施例を示す正面図（片開きドア）である。
【図２】本考案の暖房機付室内建具の一実施例を示す正面図（引き戸）である。
【図３】本建具の一部切欠き断面図である。
【符号の説明】
【０００９】    １    ガラスヒーター本体
２    ガラス固定耐熱ビート
３    建具框
４    建具枠
５    片開きドア丁番
６    隠蔽通電配線
６′  渡り配線
７    温度調整器
【図１】
0003141824.tif 000003
【図２】
0003141824.tif 000004
【図３】
0003141824.tif 000005